(57)【要約】      （修正有）【課題】雨水ますの有底泥だめ部に若干の土砂が溜っていても、その収容するバケツの浮上防止可能な装置を提供する。【解決手段】雨水ます１の有底泥だめ部２にバケツ９を取出自在に収容し、有底泥だめ部２に若干の土砂があっても、バケツ９は固定でき、バケツ９は浮上せず、その収容セット操作も今迄どおりにできるようにバケツ９の外側面上下中間部に断面逆Ｌ字状のフランジパッキン３０を周設して、そのＬ字水平部のリップ部３３を有底泥だめ部２の内壁に弾圧させる。【選択図】        図１
2005036471.tif 000002
【特許請求の範囲】
【請求項１】
雨水ますの有底泥だめ部にバケットを取出自在に収容セットし、これらの有底泥だめ部とバケットとの各側部間で形成した空間であって、その上端側を除いた部位に、バケットの収容操作を容易にしながら、バケット浮上を防止するような部材を設けたことを特徴とする合成樹脂製雨水ますのバケット浮上防止装置。
【請求項２】
前記部材を外向きリップ付弾性体とした請求項１に記載の合成樹脂製雨水ますのバケット浮上防止装置。
【請求項３】
前記部材をフランジパッキンとした請求項１に記載の合成樹脂製雨水ますのバケット浮上防止装置。
【発明の詳細な説明】
【０００１】
【発明の属する技術分野】
本発明は、合成樹脂製雨水ますのバケット浮上防止装置に関するものである。
【０００２】
【従来の技術】
一般に、ますと呼ばれる排水設備には、汚水ますと雨水ますとがあって、このうち、雨水ますは路面や宅地や空き地等に降った雨水を集水・収容したり、雨水管の点検・掃除をしたりするための設備であって、底部に１５ｃｍ以上の深さの泥だめ部を必要とし、この泥だめ部によって土砂が下流の下水管へ流れ込まないようにしている。
【０００３】
ところで、従来の雨水ますの大半は、コンクリ−ト製であるので、低廉性やコンパクト性や、塩ビ製雨水管との接続性等により、合成樹脂製雨水ますの出現が要請されている。
【０００４】
そのため、例えば点検筒用受口と、流出・入の雨水管用差口とをもったバケツ状のポリプロピレン製雨水ますが一部実施されており、また、このポリプロピレン製雨水ますを改善しようとした提案もなされている。
【０００５】
本出願人も次のような提案を行っている（例えば、特許第２７４１３４８号公報参照）。
【０００６】
この雨水ますは、汎用されている塩ビ製小口径汚水ますのようなＴＳ接合用受口をもつ塩ビ製雨水ます本体６を主体とするもので、コンパクトで且つ安価となり、宅地内に設置する雨水ますに好適なものである。
【０００７】
この雨水ます本体６は、図４および図５に示すように、塩ビ射出成形品であって、上向きに呼び径１５０ｍｍφ〜２００ｍｍφ用の点検筒用受口３と、四方横向きに呼び径７５ｍｍφまたは１００ｍｍφ用の流入側および流出側の雨水管用受口５，５…とがそれぞれ設けられている。
【０００８】
これらの受口３，５は、ＪＩＳ規格で定められた通常のＴＳ接合用受口でもよいが、軸方向長を短縮したコンパクトな接着接合受口に構成されている。
【０００９】
また、雨水ます本体６には、下向きに雨水ます本体６の円形胴１３の外径をそのまま延長して一般の塩ビパイプの外径と同じ形状の差口長さとし、これを接続筒７に構成している。この接続筒７はます本体内で開口している。
【００１０】
したがって、接続筒７の径を可及的に大にしたので、小口径の雨水ますでありながら、泥だめ容量を大にすることができる。
【００１１】
この接続筒７のます本体内開口部には、接続筒６のます本体開口内周を形成する縮径リング１２が一体的に形成され、この縮径リング１２の上面は、軸心下方に向け傾斜している。
【００１２】
この縮径リング１２に、底部に水抜き孔１４，１４…のある土砂捕捉用バケット９の開口部フランジ１１が嵌合される。このバケット９には常時、１対の溝２３で挟持されて立設している下げ手１０を設けている。
【００１３】
この接続筒７には、有底泥だめ部８をワンタッチ式に着脱自在に設けている。すなわち、この有底泥だめ部８は塩ビ射出成形により作られ、図５に示すように、その胴の外周上下の中間より上方に、係止爪１５が突設され、この係止爪１５は接続筒７の内周に設けられたバヨネット爪１６に係止される。また、接続筒７と有底泥だめ部８との間にＯリング１７を設けてシ−ルしている。
【００１４】
また、このバケット９は、有底泥だめ部８に載置されている。そのため、雨水ますへ雨水が流入すると、バケット９が浮上するのを防ぐため、開口部フランジ１１の外周に１対の断面半円状のポッチ円弧１９を設けている。
【００１５】
更に、開口部フランジ１１は折り返し状にして且つ縮径リング１２の上面と面一に形成され、その外周面２０を、その上端から下端に向けて径が漸減する下方内向のテ−パ面（漏斗状）にしている。なお、２１はスキマを示す。
【発明が解決しようとする課題】
【００１６】
かかる提案の雨水ますでは、また、特開平９−４１４７４号公報記載の雨水ますでも、雨水が雨水ますへ流入して有底泥だめ部８に溜ると、バケット９が浮上しようとするが（もし、バケット９が浮上すると、雨水ますの流・出入口を閉塞する）、ポッチ円弧（突起部）１９を設けているので、これがバケット９の浮上防止となって、かかる不都合を発生させないものの、更に次のような問題が発見された。
【００１７】
▲１▼本来、雨水ますのバケット９は、少なくとも年２回以上掃除を行い、土砂の流下を防止すること、との一般的注意が知られており、したがって、バケット９は雨水ます布設後、しばしば着脱を行う必要から、取出後の再収容セット時に、有底泥だめ部８に経年により若干の土砂が残っていると、ポッチ円弧１９を越えてバケット９を再収容セットしにくい、という維持管理上の問題が発見された。
【００１８】
▲２▼勿論もし、セット不良で、ポッチ円弧１９の係止がないままにしておくと、バケット９の浮上による、ます管路の閉塞となり、折角のポッチ円弧１９の機能を果たさない。
【００１９】
かかる問題を分析してみると、バケット９を有底泥だめ部８の底部に当接させた位置でポッチ円弧１９が雨水ます本体６の縮径リング１２を越えて係止する、という構成によることが判明した。
【００２０】
そこで本発明は、かかる問題を解消するため、この種の雨水ますでは、いずれもこの有底泥だめ部８にバケット９を収容セットした場合、少なくとも上下中間迄は、両者の間に形成する側部空間の間隔が上下方向略一定にある点に着目して創作された。
【００２１】
【課題を解決するための手段】
かかる問題を解決するため、本発明の要旨とするところは、１）雨水ますの有底泥だめ部にバケットを取出自在に収容セットし、これらの有底泥だめ部とバケットとの各側部間で形成した空間であって、その上端側を除いた部位に、バケットの収容操作を容易にしながら、バケット浮上を防止するような部材を設けたことを特徴とする合成樹脂製雨水ますのバケット浮上防止装置にあり、また、２）前記部材を外向きリップ付弾性体とした請求項１に記載の合成樹脂製雨水ますのバケット浮上防止装置にあり、また、３）前記部材をフランジパッキンとした請求項１に記載の合成樹脂製雨水ますのバケット浮上防止装置にある。
【００２２】
【実施例】
本発明を添付図面に示す実施例により詳細に述べる。
【００２３】
図１は本発明の実施例の全体の縦断面図、図２は図１の要部背面図、図３は図２のＡ〜Ａ断面図（Ａ）およびその拡大図（Ｂ）、（Ｃ）であって、図４で示す従来例と同一部分には同一符号を付し、その説明を簡略ない省略するので、そのままに記載があるものとする。
【００２４】
先ず、本発明の実施例の雨水ます１の概要を述べる。
【００２５】
この雨水ます１は、雨水ます本体６と有底泥だめ部（浸透ますでは有孔有底となる）２とを一体に射出成形したものである。勿論別体の有底泥だめ部８で一体化してもよい。
【００２６】
したがって、その雨水ます本体６に用いる取出自在の土砂捕捉用バケット９には、その深さ約１６０〜１８０ｍｍのものが収容セットできるように用いられる。
【００２７】
このバケット９を有底泥だめ部２に収容セットしたとき、バケット９の開口部上縁は雨水ます１の管底ライン４より所定の沈み深さ、例えば約２０ｍｍ、下方に位置するようにして流れを阻害しないようにしている。
【００２８】
勿論、このバケット９を収容セットした状態では、有底泥だめ部２とバケット９とは、その底部と側部とにおいて、空間を介在形成し、バケット９の取出しを容易にすると共に、有底泥だめ部２に雨水が溜まっている場合には、バケット９を再収容セットするとき、これを逃がすようにして、特に、バケット９の底部２４の横向き開口の大きい水抜き孔１４もあって、再収容セットを容易にしている。
【００２９】
そして、有底泥だめ部２とバケット９との各形状を略相似形の略逆円錐台状の有底円筒体にしていて、したがって、各側部は底部に向かって徐々に縮径されている。勿論、単なる円筒体であってもよい。
【００３０】
それ故、有底泥だめ部２とバケット９との各側部において、少なくとも上方では側部空間の間隔は略一定になっている。
【００３１】
また、バケット９の開口部には、ステンレス丸棒からなる半円状下げ手１０を常時立設している。
【００３２】
すなわち、下げ手１０の各端部を内向き直角状に折り曲げてバケット９の開口部外側から内向きに挿入し、その下げ手１０の端部の垂直部を有底泥だめ部２の開口部内面に接触させて、下げ手１０の常時立設を図ると共に、バケット９の収容セットの位置決めにしている。
【００３３】
したがって、バケット９を収容セットし、バケット９の足１８が有底泥だめ部２の底部２２の上面に当接するときに、この下げ手１０の端部外面が有底泥だめ部２の開口部内面に密接するようにしている。
【００３４】
ここにおいて、本実施例のバケット９の浮上防止を次のように構成した。
【００３５】
本実施例の雨水ます１では、少なくとも、略上半分に形成する側部空間を利用して、バケット９の側部２５の上下略中間外面に、外向きリップ付弾性リングたるフランジパッキン２３を周設し、そのリップ部３３を有底泥だめ部２の側部内面に弾圧させるようにして、バケット９の浮上防止を図っている。
【００３６】
すなわち、バケット９の足１８が有底泥だめ部２の底部２２の上面に届くまで、有底泥だめ部２の内周壁にリップ部３３が当り、そのフランジパッキン３０の弾性変形により、バケット９を保持セットさせる。
【００３７】
本来、浮上阻止のためには上面圧を増加させればよいが、つまり、上方部に抵抗力を与えればよい。そこで、このフランジパッキン３０の周設位置がバケット９の底部２４に近いと、バケット９の収容初期に抵抗となり、セット操作性を無くし、また、開口部に近いと従来例の不都合が生じる。そのため、上下略中間より上方、例えば３０〜５０ｍｍの上方位置が好ましい。
【００３８】
そこで、このフランジパッキン３０は、垂直状のトラップ本体３１を、バケット９の側部２５の外面に密接させ、その水平状のリップ部３３を、バケット９の側部２５より外方に突出させ、ホック状係止頭部３２をバケット９の側部２５の透孔２６を通して内方に突出させることにより周設する。
【００３９】
なお、この係止頭部３２は少なくとも３〜４個（複数個）あればよいし、フランジパッキン３０は硬度５０〜８０（Ａ硬度）のＳＢＲの材料で構成する。
【００４０】
以上のように、この雨水ます１のバケット９によると、その維持管理に際し、有底泥だめ部２に土砂が若干溜まっていても、その収容始めの操作はフランジパッキン３０の抵抗がなくスム−ズにでき、フランジパッキン３０の抵抗が生じ始めても更に押込み収容ができ、少なくとも、前記沈み深さを越えて底部２４が当接すると、そのままにしていてもバケット９は浮上することはない。
【００４１】
なお、本実施例の雨水ます１は一般の雨水ためますで説明したが、本発明はこれに限らず、雨水浸透ますであってもよく、本明細書では両者を含め雨水ますとも称している。
【００４２】
また、フランジパッキン３０たる外向きリップ付弾性リンクは、必ずしも、バケット９の側部２５の全周になく途切れて接着剤で設けてもよく、特に、図２で示すように２つの凹部３４、３４のある変形リングであれば、リップ部３３の変形容易となる助勢ができる。
【００４３】
この凹部３４は、下げ手１０と直交した位置、すなわち下げ手１０の取付位置より遠い位置が好ましい。
【００４４】
【発明の効果】
本発明によると、有底泥だめ部に若干土砂等が溜まっていても、バケットを管路閉塞なく収容でき、しかも浮上を防止することができる。
【図面の簡単な説明】
【図１】本発明の実施例の全体の縦断面図である。
【図２】図１の要部背面図である。
【図３】図２のＡ〜Ａ断面図（Ａ）およびその拡大図（Ｂ）、（Ｃ）である。
【図４】従来例である。
【図５】図４の要部図である。
【符号の説明】
１…雨水ます、２…有底泥だめ部、９…バケット、２５…側部、３０…フランジパッキン
【図１】
2005036471.tif 000003
【図２】
2005036471.tif 000004
【図３】
2005036471.tif 000005
【図４】
2005036471.tif 000006
【図５】
2005036471.tif 000007